(57)【要約】【課題】外観が損なわれたディスプレイ用パネルを精密で容易に剥離することができ、平面のディスプレイ用パネルはもとより、曲がったエッジ部を有するなどの様々な形状のディスプレイ用パネルも精密に剥離することができる、ディスプレイ用パネルの剥離装置を提供する。【解決手段】本発明に係るディスプレイ用パネルの剥離装置は、支持体と、前記支持体の上方に配置された回転装置と、パネルが固定される着座面を有し、前記回転装置に一端が固定され、前記回転装置の回転力によって回転する着座プレートと、前記着座プレートに隣接して配置された切断用ワイヤーとを備える。【選択図】図１
2016203168.tif 000002
【特許請求の範囲】
【請求項１】
支持体と、
前記支持体の上方に配置された回転装置と、
パネルが固定される着座面を有し、前記回転装置に一端が固定され、前記回転装置の回転力によって回転する着座プレートと、
前記着座プレートに隣接して配置された切断用ワイヤーと、
を備えることを特徴とする、パネルの剥離装置。
【請求項２】
前記回転装置は、円筒形状を有し、中心部から外周面に向かって中空部、回転部及び固定部が順に設けられており、
前記回転部には前記着座プレートの一端が固定され、前記中空部を貫通して前記切断用ワイヤーが配置されていることを特徴とする、請求項１に記載のパネルの剥離装置。
【請求項３】
前記支持体の他端には、前記切断用ワイヤーが内部を貫通するようにガイド孔を有するガイド部材がさらに設けられており、
前記ガイド部材は、中心が前記回転装置の中心と一直線上に位置する円筒状の頭部と、前記頭部の外周面から延在して前記支持体の他端につながる支持部とを有することを特徴とする、請求項２に記載のパネルの剥離装置。
【請求項４】
前記回転装置は、円筒形状を有し、中心部から外周面に向かって回転部及び固定部が順に設けられており、
前記回転部には前記着座プレートの一端が固定されていることを特徴とする、請求項１に記載のパネルの剥離装置。
【請求項５】
前記着座プレートは、一端又は両端が曲がった形状を有することを特徴とする、請求項１に記載のパネルの剥離装置。
【請求項６】
前記着座プレートには、熱線発熱式又は面相発熱式の電熱部材が設けられていることを特徴とする、請求項１に記載のパネルの剥離装置。
【請求項７】
前記切断用ワイヤーの両端には、前記切断用ワイヤーの平行力を維持するためのワインダが連結されていることを特徴とする、請求項１に記載のパネルの剥離装置。
【請求項８】
前記切断用ワイヤーの角度を調節するための角度調節手段をさらに備えることを特徴とする、請求項１に記載のパネルの剥離装置。
【請求項９】
前記支持体の下部に配置され、前記支持体に回転力を伝達する回転手段をさらに備えることを特徴とする、請求項１に記載のパネルの剥離装置。
【請求項１０】
前記支持体の下部に設けられ、前記支持体を直線移動可能にする移送手段をさらに備えることを特徴とする、請求項１に記載のパネルの剥離装置。
【発明の詳細な説明】
【技術分野】
【０００１】
本発明は、ディスプレイ用パネルの剥離装置に関し、特に、外観が損なわれたディスプレイ用パネルを精密に剥離するためのディスプレイ用パネルの剥離装置に関する。本発明に係るディスプレイ用パネルの剥離装置によれば、平面のディスプレイ用パネルははもとより、曲がったエッジ部を有するディスプレイ用パネルも精密に剥離することができる。
【背景技術】
【０００２】
移動性の電子機器には、例えば、スマートフォン、デジタルＴＶ、パソコン（ＰＣ）、ノートパソコン、ＰＤＡ、ＰＭＰ、ナビゲーションなどがあり、かかる電子機器が販売されることに伴って平板表示装置又はタッチパネルなどのパネル製品の需要が増加している。
【０００３】
平板表示装置には、液晶表示装置（Ｌｉｑｕｉｄ  Ｃｒｙｓｔａｌ  Ｄｉｓｐｌａｙ；ＬＣＤ）、プラズマ表示装置（Ｐｌａｓｍａ  Ｄｉｓｐｌａｙ  Ｐａｎｅｌ；ＰＤＰ）、有機発光ダイオード（Ｏｒｇａｎｉｃ  Ｌｉｇｈｔ  Ｅｍｉｔｔｉｎｇ  Ｄｉｏｄｅ；ＯＬＥＤ）などがある。
【０００４】
液晶表示装置は、軽量、薄型、低電力駆動、フル・カラー、高解像度の実現といった特徴から、各種のデジタル機器のディスプレイ装置として広く使用されている。
【０００５】
液晶表示装置は、光の透過率を制御する液晶表示パネルに、偏光板及びバックライトユニットを取り付けて製造し、プラズマ表示装置は、向かい合う２枚のパネルに互いに交差する電極を配列して製造する。
【０００６】
このような液晶表示装置及びプラズマ表示装置をはじめとした各種の平板表示装置は、平板表示パネルに、透明保護板などを含む様々な機能のパネルを取り付けて製造する。
【０００７】
タッチパネルは、各種の平板表示装置の表示面に設けられ、ユーザが表示装置を見ながら所望の情報を選択して入力できるようにする装置である。
【０００８】
タッチパネルには、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁型方式（Ｅｌｅｃｔｒｏ−Ｍａｇｎｅｔｉｃ（ＥＭ）  Ｔｙｐｅ）、ＳＡＷ方式（Ｓｕｒｆａｃｅ  Ａｃｏｕｓｔｉｃ  Ｗａｖｅ  Ｔｙｐｅ）及び赤外方式（Ｉｎｆｒａｒｅｄ  Ｔｙｐｅ）などがある。
【０００９】
このようなタッチパネルは、透明な材質のウィンドウパネルに透明な導電性電極パネルを取り付けて製造する。
【００１０】
上述したように、移動型電子機器は様々な機能を支援するために、イメージ又は画像のような視覚情報をユーザに提供するためのディスプレイ装置を備える。
【００１１】
近年、ディスプレイ装置を駆動するための諸部品が小型化するにつれて、電子機器は、外観を綺麗にし、持ち心地をよくし、機能を与え得るように、曲がったエッジ（Ｅｄｇｅ）部で加工されており、このようなエッジ部を有する電子機器のシェアは増加しつつある。
【００１２】
一方、携帯用のディスプレイ装置の使用が増加するにつれて、外部の衝撃によって故障した製品を修復するためのリサイクルステップ（Ｒｅｃｙｃｌｅ  ｓｔｅｐ）も頻繁に行われている。
【００１３】
ディスプレイ用パネルのリサイクルステップのために特許文献１が提示されている。
【００１４】
この特許文献によれば、パネルの一面に取り付けられた外側素材にレーザービームを照射した後、分離部材、離隔部材及び接着部材を用いて外側素材を剥離することができる。
【００１５】
このような剥離工程には、高価なレーザービーム設備が用いられる他、多数の作業装置が独立して具備されなければならない。しかも、平面のディスプレイ用パネルにしか剥離工程を行うことができず、様々な形状、例えば、曲がったエッジ部を有するディスプレイ用パネルに適用するには限界があった。
【先行技術文献】
【特許文献】
【００１６】
大韓民国公開特許第２０１２−０１３７８６８号
【発明の概要】
【発明が解決しようとする課題】
【００１７】
本発明は、上述した従来の問題点を解決するために案出されたものであり、本発明は、外観が損なわれたディスプレイ用パネルを精密に剥離するためのディスプレイ用パネルの剥離装置を提供することに目的がある。
【００１８】
本発明の他の目的は、平面のディスプレイ用パネルの他、曲がったエッジ部を有するなどの様々な形状のディスプレイ用パネルも精密に剥離することができるディスプレイ用パネルの剥離装置を提供することにある。
【課題を解決するための手段】
【００１９】
上記の目的を達成するために、本発明の一例に係るディスプレイ用パネルの剥離装置は、支持体と、上記支持体の上方に配置される回転装置と、パネルが固定される着座面を有し、上記回転装置に一端が固定され、上記回転装置の回転力によって回転する着座プレートと、上記着座プレートに隣接して配置される切断用ワイヤーとを備える。
【００２０】
上記回転装置は、円筒形状を有し、中心部から外周面に向かって中空部、回転部及び固定部が順に設けられ、上記回転部には上記着座プレートの一端が固定され、上記中空部を貫通して上記切断用ワイヤーが配置されてもよい。
【００２１】
上記支持体の他端には、上記切断用ワイヤーが内部を貫通するようにガイド孔を有するガイド部材がさらに設けられ、上記ガイド部材は、中心が上記回転装置の中心と一直線上に位置する円筒状の頭部と、上記頭部の外周面から延在して上記支持体の他端につながる支持部とから構成されてもよい。
【００２２】
また、上記回転装置は、円筒形状を有し、中心部から外周面に向かって回転部及び固定部が順に設けられ、上記回転部には上記着座プレートの一端が固定されてもよい。
【００２３】
上記着座プレートは、一端又は両端が曲がった形状を有することができ、上記着座プレートには熱線発熱式又は面相発熱式の電熱部材がさらに設けられてもよい。
【００２４】
上記切断用ワイヤーの両端には、上記切断用ワイヤーの平行力を維持するためのワインダが連結されてもよい。
【００２５】
また、上記ディスプレイ用パネルの剥離装置は、上記切断用ワイヤーの角度を調節するための角度調節手段をさらに備えてもよい。
【００２６】
上記支持体の下部には、上記支持体に回転力を伝達する回転手段がさらに設けられてもよい。
【００２７】
上記支持体の下部には、上記支持体を直線移動可能にする移送手段がさらに設けられてもよい。
【発明の効果】
【００２８】
上述した本発明によれば、外観が損なわれたディスプレイ用パネルを精密で容易に剥離することができる。
【００２９】
また、本発明によれば、平面のディスプレイ用パネルはもとより、曲がったエッジ部を有するなどの様々な形状のディスプレイ用パネルも精密に剥離することができる。
【００３０】
本発明の効果は、上述した効果に限定されるものではなく、本発明の詳細な説明又は特許請求の範囲に記載された発明の構成から得られる全ての効果を含むものと理解しなければならない。
【図面の簡単な説明】
【００３１】
【図１】本発明の一実施例に係るディスプレイ用パネルの剥離装置を示す斜視図である。
【図２】本発明の一実施例に係るディスプレイ用パネルの剥離装置における回転手段及び移送手段を示す図である。
【図３】本発明の一実施例に係るディスプレイ用パネルの剥離装置を示す正面図である。
【図４】本発明の一実施例に係るディスプレイ用パネルの剥離装置の着座プレートに埋設される電熱部材を示す図である。
【図５】本発明の一実施例に係るディスプレイ用パネルの剥離装置によって剥離される剥離対象体を概略的に示す図である。
【図６−８】本発明の一実施例に係るディスプレイ用パネルの剥離装置によってなされる剥離工程を説明するための図である。
【図９】本発明の他の実施例に係るディスプレイ用パネルの剥離装置の要部を示す斜視図である。
【発明を実施するための形態】
【００３２】
以下、添付の図面を参照して、本発明に係るディスプレイ用パネルの剥離装置について詳しく説明する。
【００３３】
本発明の説明において、説明の明瞭性及び便宜のために、図面中の構成要素の大きさ及び形状などを誇張又は単純化して示すことができる。また、本発明の構成及び作用を考慮して特別に定義した用語を、ユーザ、運用者の意図又は関係によって変更してもよい。これらの用語は、本明細書全般にわたる内容に基づいて、本発明の技術的思想に符合する意味及び概念として解釈しなければならない。
【００３４】
明細書全体を通じて、ある部分が他の部分と“連結”されているとしたとき、これは“直接的に連結”されている場合だけでなく、それらの間にさらに他の部材を介在して“間接的に連結”されている場合をも含む。また、ある部分がある構成要素を“備える”としたとき、これは、特別な記載がない限り、他の構成要素を除外する意味ではなく、他の構成要素をさらに含んでもよいということを意味する。
【００３５】
以下、添付の図面を参照しつつ本発明の実施例を詳しく説明する。
【００３６】
図１乃至図３は、本発明に係るディスプレイ用パネルの剥離装置を示す図である。
【００３７】
図１乃至図３に示すように、本実施例に係るディスプレイ用パネルの剥離装置１００は、支持体１１０、切断用ワイヤー５、回転装置１２０及び着座プレート１４０を備えている。
【００３８】
支持体１１０は、四角板状、又は他の付属手段の配置において全体的に安定感を与える形状の構造体から構成される。
【００３９】
切断用ワイヤー５は、支持体１１０の上方に配置され、着座プレート１４０に隣り合って長さ方向に延長される。
【００４０】
切断用ワイヤー５の両端には、切断用ワイヤー５を一方向の平行力で維持固定するためのワインダ１０、及び切断用ワイヤー５の剥離角度を調節するための角度調節手段２０をさらに備えることができる。
【００４１】
具体的に図示してはいないが、角度調節手段２０には、切断用ワイヤー５をガイドするローラ部と、ローラ部と隣接して配置され、ローラ部に加圧力を与えてローラ部を特定の方向に移動させるアクチュエータが設けられてもよい。
【００４２】
切断用ワイヤー５は、剥離対象体（パネル）Ａの一側と水平方向に剥離対象体の剥離を行ってもよく、角度調節手段２０の作用によって、上記の水平方向ではなく、剥離対象体と斜線方向に剥離対象体の剥離を行ってもよい。
【００４３】
切断用ワイヤー５は回転装置１２０と直接連結されない。後述するが、回転装置１２０が回転し、回転装置１２０の回転によって着座プレート１４０に着座及び固定された剥離対象体Ａが回転しながら、切断用ワイヤー５が剥離対象体Ａの曲がったエッジ部を剥離するため、切断用ワイヤー５は回転装置１２０と物理的に直接連結されない。
【００４４】
同様に、切断用ワイヤー５、ワインダ１０及び角度調節手段２０も支持体１１０と直接連結されない。後述するが、移送手段１７０の作動によって、着座プレート１４０に着座及び固定された剥離対象体Ａが直線移動しながら、切断用ワイヤー５が剥離対象体Ａの平面の部分を剥離するため、切断用ワイヤー５、ワインダ１０及び角度調節手段２０は支持体１１０と物理的に直接連結されない。
【００４５】
回転装置１２０は支持体１１０の一端に配置される。
【００４６】
回転装置１２０は円筒形を有し、支持体１１０の一端に配置され、切断用ワイヤー５が内部を貫通するように中空部１２１が設けられている。
【００４７】
回転装置１２０は、着座プレート１４０の一端が固定される回転部１２２、及び回転部１２２の外周面に設けられた固定部１２３を備えることができる。
【００４８】
すなわち、回転装置１２０は、中心部から外周面に向かって中空部１２１、回転部１２２及び固定部１２３を順に配置することができる。
【００４９】
回転装置１２０には、後述する着座プレート１４０に回転力を伝達するようにＤＤ（Ｄｉｒｅｃｔ  ｄｒｉｖｅ）モーターを動力源として備えることができるが、これに限定されず、回転部１２２を正方向又は逆方向に回転させ得る動力源であればいずれも利用可能である。回転装置１２０が回転部１２２及び固定部１２３を備えてなる場合、動力源が固定部１２３の内部に設けられ、全体的な装置の構造をコンパックにすることができる。もちろん、回転装置１２０では固定部１２３が省かれてもよく、その場合には、回転部１２２と連結された別途の回転アクチュエータが回転部１２２に回転力を与えればよい。
【００５０】
一方、支持体１１０の他端には、切断用ワイヤー５が内部を貫通するようにガイド孔１３１を有するガイド手段１３０がさらに設けられてもよい。ガイド手段１３０は、剥離工程中に発生しうる着座プレート１４０の垂れ現象を防止する機能を担う。
【００５１】
ガイド手段１３０は、中心が回転装置１２０の中心と一直線上に位置し、内部にガイド孔１３１を有する円筒状の頭部１３２と、頭部１３２の外周面から延在して支持体１１０の他端に連結される支持部１３３とを備えることができる。
【００５２】
図示してはいないが、ガイド手段１３０には、回転装置１２０の回転部１２２と同じ機能を果たす一種の回転部が設けられており、この回転部に着座プレート１４０の他端を結合又は隣接して配置することによって、着座プレート１４０の垂れを防止し、着座プレート１４０をより安定して回転させることができる。
【００５３】
着座プレート１４０は、剥離対象体Ａが固定される着座面１４１と、真空圧発生設備（図示せず）に連結された吸着孔１４２とを有する。剥離対象体Ａは、真空圧発生設備（図示せず）から発生する吸着力によって着座プレート１４０の着座面１４１に固定される。
【００５４】
本発明の主要特徴の一つが、平面形状のパネルだけでなく、曲がったエッジ部を有するパネルも精密に剥離することであるから、着座プレート１４０の一端又は両端は、曲がったエッジ部を有するパネルに対応するように曲がった形状にすることが好ましい。
【００５５】
着座プレート１４０の一端は回転装置１２０、より具体的には回転部１２２と結合され、回転装置１２０の回転力によって回転する。
【００５６】
剥離対象体が着座プレートに着座及び固定される構造は、上述した構造に限定されず、様々な構造、例えば、クランピング手段、プッシャー手段などを含んでもよい。
【００５７】
また、着座プレート１４０には、図４に示すように、熱線発熱式又は面相発熱式の電熱部材がさらに設けられてもよい。図４（ａ）は熱線発熱式電熱部材Ｈ１を示しており、このような電熱部材は、熱線が着座プレート１４０の内部に埋め立てられ、特定の吸着孔１４２の周囲で方向転換して延長されている。図４ｂは、面相発熱式電熱部材Ｈ２を示しており、このような電熱部材は、金属薄板類などの素材からなり、複数個の吸着孔１４２の間に埋め立てられている。このように、着座プレート１４０に電熱部材が設けられ、これによって、着座プレート１４０に着座及び固定される剥離対象体Ａを加熱すると、接着部分に軟性を与え、より円滑な剥離を可能にすることができる。本実施例では、着座プレート１４０に埋設される電熱部材の具現形状を熱線発熱式及び面相発熱式としたが、これに限定されず、様々な方式の電熱部材が用いられてもよい。
【００５８】
一方、支持体１１０の下方には、回転手段１５０、移送プレート１６０及び移送手段１７０を順次に配置することができる。
【００５９】
回転手段１５０は、支持体１１０の下部に配置されて支持体１１０に回転力を伝達するように構成することができる。
【００６０】
移送プレート１６０は回転手段１５０の下部に配置され、移送プレート１６０に前進及び後進の移送力を伝達する移送手段１７０がさらに備えられてもよい。
【００６１】
以下、回転手段１５０及び移送手段１７０の一構成及び動作関係について説明する。
【００６２】
回転手段１５０は、支持体１１０の下面に上下方向に配置される回転軸１５１と、支持体１１０を回転可能に支持するためのものであり、移送プレート１６０の上部に結合される支持ベアリング１５３と、移送プレート１６０の内部の収容空間１６５に設けられる回転アクチュエータ１５２とを備えることができる。
【００６３】
回転アクチュエータ１５２は、支持体１１０の下面に上下方向に配置された回転軸１５１を回転させ、回転軸１５１は、支持ベアリング１５３に回転可能に結合される。
【００６４】
したがって、回転手段１５０が動作すると、支持体１１０は回転軸１５１を回転中心として回転する。
【００６５】
移送手段１７０は、移送プレート１６０の動きをガイドするための一対のガイドレール１７５、移送プレート１６０の下面に結合され、ガイドレール１７５に摺動可能に結合されるスライダー１７４、移送プレート１６０の下面に結合され、移送スクリュー１７３に螺合される移動部材１７２、及び移送スクリュー１７３を回転させるための移動アクチュエータ１７１を備える。したがって、移送手段１７０が動作すると、支持体１１０は直線運動をする。
【００６６】
上述した回転手段１５０及び移送手段１７０の構造は図示のものに限定されず、支持体１１０を回転及び移送させ得るような様々な構造に変更されてもよい。
【００６７】
また、回転手段１５０及び移送手段１７０は、支持体１１０の下部に一列に結合されるという条件下にその配置順序が換わってもよく、配置順序に応じて構造も様々に変更されてもよい。
【００６８】
また、回転手段１５０は省かれ、移送手段１７０だけが支持体１１０の下部に配置されてもよく、この場合、移送手段１７０は移送プレート１６０の下部ではなく支持体１１０の下部に直接結合される。
【００６９】
以下、本発明のディスプレイ用パネルの剥離装置による剥離工程について説明する。
【００７０】
以下では、曲がったエッジ部が一端にのみ設けられたパネル剥離対象体の剥離を説明するが、曲がったエッジ部が両端に設けられたパネル、平面の形状を有するパネルも剥離可能であることはいうまでもない。
【００７１】
図５は、本発明に係るディスプレイ用パネルの剥離装置によって剥離される剥離対象体を概略的に示す図であり、図６乃至図８は、剥離対象体の剥離工程を説明するための図である。
【００７２】
本発明に係るディスプレイ用パネルの剥離装置１００は様々な構造のパネルの剥離に適用することができるが、以下では、説明の便宜上、図５に示す剥離対象体Ａを基準にして剥離工程を説明する。
【００７３】
すなわち、以下では、図５に示すように、強化ガラス素材Ａ１、フィルム素材Ａ３及び有機発光素材Ａ５がそれぞれ光学透明接着剤Ａ２、Ａ４によって結合された剥離対象体Ａから有機発光素材Ａ５を剥離することを取り上げて説明する。
【００７４】
まず、図６（ａ）に示すように、切断用ワイヤー５が長さ方向に長く位置し、着座プレート１４０に固定された剥離対象体Ａが回転装置１２０の回転によって切断用ワイヤー５に近づく。
【００７５】
次に、図６（ｂ）に示すように、近接している切断用ワイヤー５及び剥離対象体Ａでは、回転装置１２０の回転によって切断用ワイヤー５が剥離対象体Ａのエッジ部を剥離して行き、最終的には、図６（ｃ）に示すように、曲がったエッジ部の全体を剥離するようになる。
【００７６】
図７は、回転手段１５０による剥離対象体Ａの剥離工程を説明するための図である。まず、図７（ａ）に示すように、回転手段１５０の回転によって剥離対象体Ａの曲がった一側面のエッジ部が切断用ワイヤー５に接するようになる。
【００７７】
次に、図７（ｂ）に示すように、回転装置１２０の回転によって剥離対象体Ａの一側面のエッジ部を剥離した後、回転手段１５０を原位置に戻し、回転装置１２０の回転によって、図７（ｃ）及び図７（ｄ）に示すように、曲がったエッジ部の全体を剥離する。
【００７８】
図８は、剥離対象体Ａの曲がったエッジ部以外の、剥離対象体Ａの平面の部分を剥離する工程を示す図である。
【００７９】
すなわち、図８に示すように、剥離対象体Ａの曲がったエッジ部の剥離が完了すると、移送手段１７０の移送力によって切断用ワイヤー５が剥離対象体Ａの平面部分を剥離することができる。
【００８０】
移送手段１７０の直線移動力によって切断用ワイヤー５が剥離対象体Ａの平面部分を剥離することは、回転装置１２０の回転によって切断用ワイヤー５が剥離対象体Ａの曲がったエッジ部の剥離を完了した時、剥離対象体Ａの平面部分が支持体１１０と水平をなすように作業位置を調節することによって、より円滑で精密に行うことができる。
【００８１】
また、移送手段１７０は、曲がったエッジ部の剥離過程において剥離しようとする部分の損傷を最小化させる機能を果たす。すなわち、曲がったエッジ部が回転装置１２０の回転によって剥離される中に、移送手段１７０が、有機発光素材Ａ５の反対方向に加圧力を与える方向に移動することによって、剥離過程で有機発光素材Ａ５の損傷を未然に防止することができる。
【００８２】
図９は、本発明の他の実施例に係るディスプレイ用パネルの剥離装置を示す図である。以下の説明で、上記の実施例と同じ要素には同一の図面符号を付し、その詳細な説明は省略する。
【００８３】
図９に示すように、本発明の他の実施例に係るディスプレイ用パネルの剥離装置１００は、支持体１１０、切断用ワイヤー５、回転装置１２０及び着座プレート１４０を備えている。
【００８４】
上記の一実施例と違い、本発明の他の実施例では、回転装置１２０に中空部１２１が省かれる。上記の一実施例では、回転装置１２０に中空部１２１が設けられ、これを貫通して切断用ワイヤー５が位置しているとしたが、本発明の他の実施例では、切断用ワイヤーが回転装置１２０を貫通しないで回転装置１２０の外部に配置される。着座プレート１４０は回転装置１２０の回転部１２２に結合され、支持体１１０の下部には回転手段１５０、移送手段１７０が設けられてもよい。
【００８５】
本発明の他の実施例では、切断用ワイヤー５を回転装置１２０の外部に配置することによって、特に、大きい剥離対象体などの剥離工程で発生しうる切断用ワイヤー５と回転装置１２０との干渉を防止することができる。
【００８６】
本発明の他の実施例で説明を省いた構成要素及び剥離過程などは、上記の一実施例におけると同様である。
【００８７】
上述のような本発明によれば、様々な形状、特に、曲がったエッジ部を有するディスプレイ用パネルを精密に剥離することができる。すなわち、回転装置から伝達された回転力によって着座プレートが回転することにより、回転力を用いて切断用ワイヤーがパネルの曲がったエッジ部を精密に剥離することができる。また、移送手段による直線運動によって着座プレートが直線移動することによって、曲がったエッジ部だけでなくパネルの平面部分も切断用ワイヤーを用いて精密に剥離することができる。
【００８８】
上述及び図示した本発明の実施例は、本発明の技術的思想を限定するものとして解釈してはならない。本発明の保護範囲は、特許請求の範囲に記載された事項によってのみ制限され、本発明の技術分野における通常の知識を有する者にとって、本発明の技術的思想を様々な形態に改良及び変更することが可能である。したがって、このような改良及び変更は、当該技術の分野における通常の知識を有する者に明らかであれば、本発明の保護範囲に属するものと解釈すべきである。
【符号の説明】
【００８９】
５            切断用ワイヤー
１０          ワインダ
２０          角度調節手段
１００        ディスプレイ用パネルの剥離装置
１１０        支持体
１２０        回転装置
１２１        中空部
１２２        回転部
１２３        固定部
１３０        ガイド手段
１３１        ガイド孔
１３２        頭部
１３３        支持部
１４０        着座プレート
１４１        着座面
１４２        吸着孔
１５０        回転手段
１６０        移送プレート
１７０        移送手段
Ａ            剥離対象体
Ａ１          強化ガラス素材
Ａ２，Ａ４    光学透明接着剤
Ａ３          フィルム素材
Ａ５          有機発光素材
Ｈ１          熱線発熱式電熱部材
Ｈ２          面相発熱式電熱部材
【図１】
2016203168.tif 000003
【図２】
2016203168.tif 000004
【図３】
2016203168.tif 000005
【図４】
2016203168.tif 000006
【図５】
2016203168.tif 000007
【図６】
2016203168.tif 000008
【図７】
2016203168.tif 000009
【図８】
2016203168.tif 000010
【図９】
2016203168.tif 000011